(57)【特許請求の範囲】
【請求項１】
燃料の噴射量を計測する噴射量計測装置であって、
密閉された容器に噴射された燃料の噴射量に比例する変位部の変位量を検出する噴射量検出手段と、前記容器から計測後の燃料を排出するための複数の排出弁とを有する噴射量検出器と、
前記排出弁のうち開弁する本数と、その本数を切り替えるための切替噴射量とを対応付けて記憶する排出弁情報記憶手段と、
前記噴射量検出器によって検出された前記変位量に基づく噴射量を算出する噴射量算出手段と、
前記噴射量算出手段によって算出された前記噴射量に応じて、前記噴射量検出器の前記排出弁のうち開弁する本数を前記排出弁情報記憶手段に基づいて取得し、取得した前記開弁する本数に基づいて、開弁する前記排出弁の開弁時間を算出し、前記排出弁の開閉を制御する排出弁制御手段と、
を備える噴射量計測装置。
【請求項２】
前記排出弁情報記憶手段において、前記噴射量が増加する場合と減少する場合とで異なる前記切替噴射量が記憶されている、請求項１に記載の噴射量計測装置。
【請求項３】
前記噴射量検出器は、前記排出弁としてのインジェクタの性能を表わす排出係数が所定の値よりも小さい小排出インジェクタと、前記所定の値よりも大きい大排出インジェクタとを備え、
前記排出弁制御手段は、前記噴射量に基づいて、前記小排出インジェクタと前記大排出インジェクタとを選択する、請求項１又は２に記載の噴射量計測装置。
【請求項４】
請求項１に記載の噴射量計測装置が実行する方法であって、
前記噴射量算出手段が、前記噴射量検出器によって検出された前記変位量に基づく噴射量を算出する噴射量算出ステップと、
前記排出弁制御手段が、前記噴射量算出ステップによって算出された前記噴射量に応じて、前記噴射量検出器の前記排出弁のうち開弁する本数を前記排出弁情報記憶手段に基づいて取得し、取得した前記開弁する本数に基づいて、開弁する前記排出弁の開弁時間を算出し、前記排出弁の開閉を制御する排出弁制御ステップと、
を備える方法。
【発明の詳細な説明】
【技術分野】
【０００１】
本発明は、噴射量計測装置及び方法に関する。
【背景技術】
【０００２】
従来より、燃料噴射ポンプの噴射の効率や性能等を試験するために、燃料の噴射量を計測する技術が知られている。
【０００３】
例えば、特許文献１に開示された噴射量計測装置は、流体噴射弁によって計測流体が噴射された計測室の計測流体量に応じて変位する変位部材を有し、流体噴射弁の各回の噴射により計測室に圧力振動が生じ、この圧力振動による変位部材の振動量が所定値以内になったときの変位部材の位置を噴射量の計測開始位置とし、変位部材の位置に基づき流体噴射弁の噴射量を算出する。
【先行技術文献】
【特許文献】
【０００４】
【特許文献１】特開２００９−３６０９１号公報
【発明の概要】
【発明が解決しようとする課題】
【０００５】
このような噴射量の計測において、噴射された燃料は、計測室から排出弁により排出される。しかしながら、従来の排出制御は、備えている全ての排出弁（実施形態において排出用インジェクタと言う。）を同時に駆動し、噴射量に応じて開弁時間を制御している。
【０００６】
例えば、図９は従来の計測装置による、計測された噴射量（１段毎が２．５〜３．０ｍｍ３／ｓｔｒの小噴射量）の変化を示す例である。図９においては、８〜９段（２．５〜３．０ｍｍ３／ｓｔｒを８〜９回噴射した状態）噴射した後、排出用インジェクタが駆動し排出している。これは、全ての排出用インジェクタを同時に駆動している従来型の排出用インジェクタ制御方法では、毎回の噴射量から算出される開弁時間が排出用インジェクタの不感帯領域の為、排出用インジェクタが駆動されないからである。その後、排出用インジェクタが駆動される開弁時間程度まで噴射が合算された後、初めて排出される。噴射量に対して排出量が大きい為、検出器内の衝撃が増大し、毎回噴射においてバラつきが大きくなる箇所（例えば、図９において２回目、３回目）が発生している。
【０００７】
すなわち、従来の技術では、小噴射量排出時の開弁時間が短い為、排出用インジェクタをサイクル毎駆動できないので（排出用インジェクタの不感帯領域の為、駆動しないので）、サイクル毎の噴射量計測値のバラつきが大きくなる悪影響が発生していた。
【０００８】
本発明は、燃料の噴射量計測において、小噴射量であってもサイクル毎の噴射量を精度よく計測できる噴射量計測装置及び方法を提供することを目的とする。
【課題を解決するための手段】
【０００９】
具体的には、以下のような解決手段を提供する。
（１）  燃料の噴射量を計測する噴射量計測装置であって、密閉された容器に噴射された燃料の噴射量に比例する変位部の変位量を検出する噴射量検出手段と、前記容器から計測後の燃料を排出するための複数の排出弁とを有する噴射量検出器と、前記排出弁のうち開弁する本数と、その本数を切り替えるための切替噴射量とを対応付けて記憶する排出弁情報記憶手段と、前記噴射量検出器によって検出された前記変位量に基づく噴射量を算出する噴射量算出手段と、前記噴射量算出手段によって算出された前記噴射量に応じて、前記噴射量検出器の前記排出弁のうち開弁する本数を前記排出弁情報記憶手段に基づいて取得し、取得した前記開弁する本数に基づいて、開弁する前記排出弁の開弁時間を算出し、前記排出弁の開閉を制御する排出弁制御手段と、を備える噴射量計測装置。
【００１０】
（１）の構成によれば、（１）に係る噴射量計測装置は、排出弁のうち開弁する本数と、その本数を切り替えるための切替噴射量とを対応付けて記憶する排出弁情報記憶手段を備え、噴射量検出器によって検出された変位量に基づく噴射量を算出し、算出した噴射量に応じて、噴射量検出器の排出弁のうち開弁する本数を排出弁情報記憶手段に基づいて取得し、取得した開弁する本数に基づいて、開弁する排出弁の開弁時間を算出し、排出弁の開閉を制御する。
【００１１】
すなわち、（１）に係る噴射量計測装置は、サイクルごとの噴射量に応じて、排出弁のうち開弁する本数と開弁時間とを制御し、検出器内の燃料排出による衝撃が大きくならないようにしている。
したがって、（１）に係る噴射量計測装置は、燃料の噴射量計測において、小噴射量であってもサイクル毎の噴射量を精度よく計測できる。
【００１２】
（２）  前記排出弁情報記憶手段において、前記噴射量が増加する場合と減少する場合とで異なる前記切替噴射量が記憶されている、（１）に記載の噴射量計測装置。
【００１３】
したがって、（２）に係る噴射量計測装置は、燃料の噴射量計測において、小噴射量であってもサイクル毎の噴射量をさらに精度よく計測できる。
【００１４】
（３）  前記噴射量検出器は、前記排出弁としてのインジェクタの性能を表わす排出係数が所定の値よりも小さい小排出インジェクタと、前記所定の値よりも大きい大排出インジェクタとを備え、前記排出弁制御手段は、前記噴射量に基づいて、前記小排出インジェクタと前記大排出インジェクタとを選択する、（１）又は（２）に記載の噴射量計測装置。
【００１５】
したがって、（３）に係る噴射量計測装置は、燃料の噴射量計測において、噴射量に基づいて排出用インジェクタの排出性能に応じた排出制御を行うことができる。
【００１６】
（４）  （１）に記載の噴射量計測装置が実行する方法であって、前記噴射量算出手段が、前記噴射量検出器によって検出された前記変位量に基づく噴射量を算出する噴射量算出ステップと、前記排出弁制御手段が、前記噴射量算出ステップによって算出された前記噴射量に応じて、前記噴射量検出器の前記排出弁のうち開弁する本数を前記排出弁情報記憶手段に基づいて取得し、取得した前記開弁する本数に基づいて、開弁する前記排出弁の開弁時間を算出し、前記排出弁の開閉を制御する排出弁制御ステップと、を備える方法。
【００１７】
したがって、（４）に係る方法は、燃料の噴射量計測において、小噴射量であってもサイクル毎の噴射量を精度よく計測できる。
【発明の効果】
【００１８】
本発明によれば、燃料の噴射量計測において、小噴射量であってもサイクル毎の噴射量を精度よく計測できる。
さらに、本発明によれば、噴射量に応じて排出用インジェクタ駆動本数の制御と開弁時間の制御とを行うことにより、排出用インジェクタ駆動帯域で排出制御が可能になり、安定した噴射量計測が実現される。
【図面の簡単な説明】
【００１９】
【図１】本発明の一実施形態に係る噴射量計測装置の構成を示すブロック図である。
【図２】本発明の一実施形態に係る噴射量計測装置による排出回路の例を示す図である。
【図３】本発明の一実施形態に係る噴射量検出器の例を示す図である。
【図４】本発明の一実施形態に係る噴射量計測装置における排出用インジェクタの排出性能を説明するための図である。
【図５】本発明の一実施形態に係る噴射量計測装置における排出弁情報記憶手段の例を示す図である。
【図６】本発明の一実施形態に係る噴射量計測装置における計測制御処理のフローチャートである。
【図７】本発明の一実施形態に係る噴射量計測装置による排出用インジェクタの制御の例を説明するための図である。
【図８】本発明の一実施形態に係る噴射量計測装置による排出用インジェクタの制御を行い、噴射量を計測した例を示す図である。
【図９】従来の計測装置による噴射量の計測の例を示す図である。
【発明を実施するための形態】
【００２０】
以下、本発明の実施形態について図を参照しながら説明する。
図１は、本発明の一実施形態に係る噴射量計測装置１０の構成を示すブロック図である。図２は、本発明の一実施形態に係る噴射量計測装置１０による排出回路の例を示す図である。なお、本実施形態における噴射量検出器１１は、排出弁（実施形態において排出用インジェクタと言う。）が８本仕様の噴射量検出器１１をモデルとしている。その為、噴射量計測装置１０は、図２が示すように、排出信号１ｃｈ当たり、排出用インジェクタ２本を制御する事とする。なお、本実施形態では、排出信号１ｃｈ当たり、排出用インジェクタ２本を制御する事としているが、排出信号１ｃｈ当たり、排出用インジェクタ１本を制御し、排出用インジェクタの本数と同じ排出信号チャンネルを持った形態としてもよい。また、１ｃｈ毎に単位時間あたりの排出する量の異なるインジェクタ性能のものを使用することで広範囲の噴射量計測に対応することも可能である。
また、本実施形態では、図２が示すように、ＣＨ１は常時選択、制御され、ＣＨ２〜ＣＨ４が適宜、選択、制御される。
【００２１】
図１に基づいて、噴射量計測装置１０の構成を説明する。
噴射量計測装置１０は、噴射量検出器１１と、噴射量算出手段１２と、排出弁制御手段１３と、排出弁情報記憶手段３１とを備える。
【００２２】
噴射量検出器１１は、密閉された容器に噴射された燃料の噴射量に比例する変位部の変位量を検出する噴射量検出手段１１１と、容器から計測後の燃料を排出するための複数の排出用インジェクタ１１２とを有する。
【００２３】
ここで、図３に基づいて、噴射量検出器１１の説明をする。図３は、本発明の一実施形態に係る噴射量検出器１１の例を示す図である。例えば、噴射量検出手段１１１は、図３で示すように、燃料入口１１３に接続された燃料噴射インジェクタ１２１からの噴射量を検出するためのベローズ１２２とギャップセンサ１２３とを備えており、ベローズ１２２により密閉された検出室１２０と背圧室１２４とに仕切られている。検出室１２０内が燃料で満たされると、噴射量に比例してベローズ１２２が伸縮する。そのベローズ１２２の変位量と断面積との積が噴射量となる。ベローズ１２２の変位量は、ギャップセンサ１２３により検出される。一方、背圧室１２４は、一定の圧力になるように気体で加圧されており、検出室１２０内の液体の圧力を一定に維持している。
【００２４】
図１に戻って、噴射量計測装置１０の構成の説明を続ける。
排出弁情報記憶手段３１は、排出用インジェクタ１１２のうち開弁する本数と、その本数を切り替えるための切替噴射量とを対応付けて記憶する。さらに、排出弁情報記憶手段３１は、噴射量が増加する場合と減少する場合とで異なる切替噴射量を記憶する。
具体的には、切替噴射量の近傍での排出用インジェクタ１１２のチャタリングを防止する為、排出弁情報記憶手段３１は、噴射量が増加する場合と減少する場合とでヒステリシスを設けて、切替噴射量を記憶している（後述する図５参照）。
【００２５】
噴射量算出手段１２は、噴射量検出器１１によって検出された変位量に基づく噴射量を算出する。具体的には、噴射量算出手段１２は、図３で示すように、数式１によって噴射量を算出する。
Ｖ＝Δｄ・Ｓ  ・・・（数式１）
Ｖ  ：噴射量
Δｄ：ベローズ先端変位量
Ｓ  ：ベローズ断面積
噴射量算出手段１２は、算出した噴射量を時系列的にメモリ等の記憶部に記憶させる。
なお、噴射量算出手段１２は、算出した噴射量を、計測値として他のシステム（例えば、噴射特性評価システム等）に出力するとしてもよい。
【００２６】
排出弁制御手段１３は、噴射量算出手段１２によって算出された噴射量に応じて、噴射量検出器１１の排出用インジェクタ１１２のうち開弁する本数を排出弁情報記憶手段３１に基づいて取得する。具体的には、排出弁情報記憶手段３１が図５のように記憶している場合、排出弁制御手段１３は、切替噴射量（例えば、９０）を噴射量が超えた場合（例えば、噴射量として５０が計測され、次に噴射量として１００が計測されるような、噴射量が増加して計測される場合）に、排出用インジェクタ１１２の開弁する本数（例えば、４本）を取得する。
【００２７】
次に、排出弁制御手段１３は、取得した開弁する本数に基づいて、開弁する排出用インジェクタ１１２の開弁時間を、数式２により算出する。
開弁時間＝ΔＶＤ．Ｌ＊ＦＡＣＴＯＲ＊ＰｒｅｓｓＣｏｅｆｆ／［｛（Ｑ２−Ｑ１）／（Ｔ２−Ｔ１）｝＊ｎ］  ・・・（数式２）
ここで、数式２の各項目は、次の意味を表わす。
開弁時間：排出用インジェクタの駆動時間（ｍｓ）
ΔＶＤ．Ｌ：Ｍｅａｓｕｒｅ  ＰｏｉｎｔからＤｉｓｃｈａｒｇｅ  Ｌｅｖｅｌまでの電圧差（Ｖ）
ＦＡＣＴＯＲ：噴射量係数（ｍｍ３／Ｖ）
ＰｒｅｓｓＣｏｅｆｆ：背圧係数
Ｑ１：Ｔ１（ｍｓ）時の設定排出量（ｍｍ３）
Ｑ２：Ｔ２（ｍｓ）時の設定排出量（ｍｍ３）
ｎ：排出用インジェクタ駆動本数（本）
また、｛（Ｑ２−Ｑ１）／（Ｔ２−Ｔ１）｝は排出用インジェクタ１１２の排出性能（排出係数）を表わす。
【００２８】
ここで、図４に基づいて排出用インジェクタ１１２の排出性能について説明する。図４は、本発明の一実施形態に係る噴射量計測装置１０における排出用インジェクタ１１２の排出性能を説明するための図である。
排出用インジェクタ１１２の排出性能は、排出のための駆動制御時間と、排出量とによって表わされる。例えば、排出駆動制御時間Ｔ１に対する排出量Ｑ１と、排出駆動制御時間Ｔ２に対する排出量Ｑ２とが設定されると、排出用インジェクタ１１２の排出性能は、縦軸を排出量（ｍｍ３／ｓｔｒ）、横軸を時間（ｍｓ）として、排出駆動制御時間Ｔ１及び排出量Ｑ１と、排出駆動制御時間Ｔ２及び排出量Ｑ２との直線関係を、最大排出駆動制御時間Ｔｍａｘ及び最大排出量Ｑｍａｘと、最小排出駆動制御時間Ｔ０及び最小排出量Ｑ０との間で延長させた直線グラフ３０１で表わされる。
排出弁制御手段１３は、噴射量算出手段１２によって算出された噴射量と、排出弁情報記憶手段３１により決定された開弁本数と、直線グラフ３０１に基づく排出量Ｑａから排出駆動制御時間Ｔａを算出する。
なお、最小排出駆動制御時間Ｔ０（例えば２ｍｓが設定値として記憶されている）以下の非排出制御域３０２では駆動制御は出来ない。
【００２９】
図１に戻って、噴射量計測装置１０の構成の説明を続ける。
排出弁制御手段１３は、取得した開弁する本数及び開弁時間に基づいた排出信号（本数、パルス幅）を生成し、生成した信号に応じた励磁電流を噴射量検出器１１の排出用インジェクタ１１２に流し、排出用インジェクタ１１２を駆動させて燃料を排出させる。
【００３０】
さらに、噴射量検出器１１が、排出係数が所定の値よりも小さい小排出インジェクタと、所定の値よりも大きい大排出インジェクタとを備える場合、排出弁制御手段１３は、噴射量に基づいて、小排出インジェクタと大排出インジェクタとを選択する。
例えば、排出弁制御手段１３は、インジェクタ性能がそれぞれ異なる排出用インジェクタ１１２を使用する場合、例えば、開弁する排出用インジェクタ１１２毎に対応付けて設定された排出駆動制御時間Ｔ１、Ｔ２及び排出量Ｑ１、Ｑ２を用いて、排出駆動制御時間を算出する。
【００３１】
図５は、本発明の一実施形態に係る噴射量計測装置１０における排出弁情報記憶手段３１の例を示す図である。排出弁情報記憶手段３１は、開弁本数と、増加の場合の切替噴射量及び減少の場合の切替噴射量とを対応付けて記憶している。
図５の例は、噴射量が増加の場合には、例えば、噴射量が８５から１００に増加した場合、開弁本数を２本から４本にすることを示している。同様に、噴射量が１００から８５に減少した場合、開弁本数を４本のままとするが、さらに８０に減少した場合、開弁本数を４本から２本にすることを示している。
【００３２】
図６は、本発明の一実施形態に係る噴射量計測装置１０における計測制御処理のフローチャートである。噴射量計測装置１０は、コンピュータ及びその周辺装置を備えるハードウェア並びに該ハードウェアを制御するソフトウェアによって構成され、以下の処理は、制御部（例えば、ＣＰＵ）が所定のソフトウェアに従い実行する処理である。噴射量計測装置１０における計測制御処理は、リアルタイム制御を行うＯＳの下で定期的に起動される。
【００３３】
ステップＳ１０１において、ＣＰＵ（噴射量算出手段１２）は、噴射量を計測し、計測した噴射量を時系列的に記憶部に記憶する。より具体的には、ＣＰＵは、噴射量検出器１１の検出に基づいて、数式１によって噴射量を算出する。
【００３４】
ステップＳ１０２において、ＣＰＵ（排出弁制御手段１３）は、噴射量が増加中か否かを判断する。より具体的には、ＣＰＵは、時系列的に記憶している噴射量に基づいて、今回計測された噴射量が、前回計測され記憶された噴射量よりも増加しているか否かを判断する。この判断がＹＥＳの場合、ＣＰＵは、処理をステップＳ１０３に移し、この判断がＮＯの場合、ＣＰＵは、処理をステップＳ１０４に移す。
【００３５】
ステップＳ１０３において、ＣＰＵ（排出弁制御手段１３）は、排出弁情報記憶手段３１に記憶された増加の場合の切替噴射量に基づいて開弁本数を取得する。その後、ＣＰＵは、処理をステップＳ１０５に移す。
【００３６】
ステップＳ１０４において、ＣＰＵ（排出弁制御手段１３）は、排出弁情報記憶手段３１に記憶された減少の場合の切替噴射量に基づいて開弁本数を取得する。その後、ＣＰＵは、処理をステップＳ１０５に移す。
【００３７】
ステップＳ１０５において、ＣＰＵ（排出弁制御手段１３）は、開弁本数に基づいて開弁時間を算出する。より具体的には、ＣＰＵは、数式２に基づいて開弁時間を算出する。
【００３８】
ステップＳ１０６において、ＣＰＵ（排出弁制御手段１３）は、開弁時間が最小排出駆動制御時間Ｔ０以下か否かを判断する。より具体的には、ＣＰＵは、算出した開弁時間が、排出用インジェクタ１１２が作動するための最小排出駆動制御時間Ｔ０より以下か否かを判断する。この判断がＹＥＳの場合、ＣＰＵは、処理を終了し、この判断がＮＯの場合、ＣＰＵは、処理をステップＳ１０７に移す。
【００３９】
ステップＳ１０７において、ＣＰＵ（排出弁制御手段１３）は、取得した開弁本数と、算出した開弁時間とに基づいて作成した排出信号を送信し、開弁する本数と開弁時間とを制御する。その後、ＣＰＵは、処理を終了する。
【００４０】
図７は、本発明の一実施形態に係る噴射量計測装置１０による排出用インジェクタ１１２の制御の例を説明するための図である。
例えば、以下の設定（１）及び（２）において、噴射量に対する排出制御信号について具体的に説明する。
（１）排出用インジェクタ１１２のうち開弁する本数の切替噴射量についての設定
排出用インジェクタ１１２のうち開弁する本数を切り替えるための切替噴射量は、例えば、図５のとおりとする。排出制御信号は１出力あたり２本の排出用インジェクタ１１２を駆動する。
（２）排出係数（Ｄｉｓｃｈａｒｇｅ  Ｐｅｒｆｏｒｍａｎｃｅ）についての設定
排出係数として、予め２点の噴射量（Ｑ１、Ｑ２）と、そのときの開弁時間（Ｔ１、Ｔ２）とを設定する。例えば、図２の実施例では、最小排出弁本数ｎ＝２のとき開弁時間（排出駆動制御時間Ｔ１）が２ｍｓの場合、排出量Ｑ１を３２ｍｍ３／ｓｔｒ、開弁時間（排出駆動制御時間Ｔ２）が１０ｍｓの場合、排出量Ｑ２を１６０ｍｍ３／ｓｔｒに設定する。
（３）排出用インジェクタ１１２が駆動する最小排出駆動制御時間Ｔ０を設定する。例としてＴ０を２ｍｓとする。このときのＴ０＝Ｔ１なので、排出量は３２ｍｍ３／ｓｔｒである。
【００４１】
この設定の場合、図７で示すような排出信号が出力される。図７の噴射量変化パターンの例は、噴射量が８０ｍｍ３／ｓｔｒから３２０ｍｍ３／ｓｔｒに増加し、その後８９．６ｍｍ３／ｓｔｒに減少し、さらに１９．２ｍｍ３／ｓｔｒに減少するパターンの例である。例えば、噴射量計測装置１０は、噴射量が増加する場合の８０、１６０、２４０、３２０ｍｍ３／ｓｔｒの噴射量に対しては表１のような開弁本数及び開弁時間になるように排出用インジェクタ１１２を制御する。すなわち、噴射量計測装置１０は、噴射量８０ｍｍ３／ｓｔｒでは区間Ａなので、排出用インジェクタ１１２のうち開弁本数をｎ＝ｎ１＝２本とし、開弁本数２本での排出時間の演算結果により、開弁時間５．１２ｍｓで噴射量８０ｍｍ３／ｓｔｒに相当する燃料を排出する。同様に、噴射量計測装置１０は、噴射量３２０ｍｍ３／ｓｔｒでは区間Ｄなので、開弁本数ｎ＝ｎ１＋ｎ２＋ｎ３＋ｎ４＝８本とし、開弁本数８本での排出時間の演算結果により、開弁時間５．００ｍｓで噴射量３２０ｍｍ３／ｓｔｒに相当する燃料を排出する。
【００４２】
【表１】
0006309878.tif 000002
【００４３】
噴射量が減少する場合の２５６、１７２．８、８９．６、１９．２ｍｍ３／ｓｔｒの噴射量に対して、噴射量計測装置１０は、表２のような開弁本数及び開弁時間になるように排出用インジェクタ１１２を制御する。すなわち、噴射量計測装置１０は、噴射量８９．６ｍｍ３／ｓｔｒでは区間ｂなので、排出用インジェクタ１１２のうち開弁本数をｎ＝ｎ１＋ｎ２＝４本とし、開弁本数４本での排出時間の演算結果により、開弁時間２．８０ｍｓで噴射量８９．６ｍｍ３／ｓｔｒに相当する燃料を排出する。なお、表２の１９．２ｍｍ３／ｓｔｒの例は、図５において示した噴射量減少の場合の８１ｍｍ３／ｓｔｒ以下となり、区間ａ（開弁本数２本）で排出時間が演算された結果、設定されている最小排出駆動制御時間Ｔ０（例えば、開弁時間２ｍｓ、噴射量３２ｍｍ３／ｓｔｒ）以下となる例である。この場合、噴射量計測装置１０は、噴射ごとの最小制御値以下の噴射量を積算し、複数回噴射後の積算した噴射量が最小制御値以上となった場合に、積算した噴射量に応じて開弁する本数を取得し、取得した本数に基づいて開弁時間を算出し、開弁する本数及び開弁時間に基づいて、燃料を排出する制御を行う。表２の例では、噴射量計測装置１０は、１９．２ｍｍ３／ｓｔｒ×２ｓｔｒ＝３８．４ｍｍ３に相当する開弁本数ｎ＝２本、開弁時間２．４０ｍｓで燃料を排出する。
【００４４】
【表２】
0006309878.tif 000003
【００４５】
図８は、本発明の一実施形態に係る噴射量計測装置１０による排出用インジェクタ１１２の制御を行い、噴射量を計測した例を示す図である。図８の例では、ベローズ変位量（噴射量）を電圧出力したもので、１段毎が２．５〜３．０ｍｍ３／ｓｔｒの小噴射量に相当する。
【００４６】
図８は、図９と比較して３〜４段で排出していることを示している。これは、排出用インジェクタ１１２の本数制御を行う事で、小噴射量であっても、排出用インジェクタ１１２を駆動可能にしたからである。その結果、図８は、検出器内の燃料排出時の衝撃が緩和され、噴射量計測値の再現性が向上した事を示している。さらに、ここで排出量の少ない（排出係数が小さい）インジェクタを備え、選択することで、噴射一段毎に排出を行うことも可能となる。
【００４７】
本実施形態によれば、噴射量計測装置１０は、排出用インジェクタ１１２のうち開弁する本数と、その本数を切り替えるための切替噴射量とを対応付けて記憶する排出弁情報記憶手段３１を備え、噴射量検出器１１によって検出された変位部の変位量に基づく噴射量を算出し、算出した噴射量に応じて、噴射量検出器１１の排出用インジェクタ１１２のうち開弁する本数を排出弁情報記憶手段３１に基づいて取得し、取得した開弁する本数に基づいて、開弁する排出用インジェクタ１１２の開弁時間を算出し、排出用インジェクタ１１２の開閉を制御する。さらに、噴射量計測装置１０は、噴射量が増加する場合と減少する場合とで異なる切替噴射量に基づいて、排出用インジェクタ１１２の開閉を制御する。
したがって、噴射量計測装置１０は、燃料の噴射量計測において、サイクル毎の噴射量を精度よく計測できる。
【００４８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４９】
１０    噴射量計測装置
１１    噴射量検出器
１２    噴射量算出手段
１３    排出弁制御手段
３１    排出弁情報記憶手段
１１１  噴射量検出手段
１１２  排出用インジェクタ
【図１】
0006309878.tif 000004
【図２】
0006309878.tif 000005
【図３】
0006309878.tif 000006
【図４】
0006309878.tif 000007
【図５】
0006309878.tif 000008
【図６】
0006309878.tif 000009
【図７】
0006309878.tif 000010
【図８】
0006309878.tif 000011
【図９】
0006309878.tif 000012